(57)【要約】【課題】携帯端末において返信率の高い電子メールの作成をサポートできる辞書データ配信装置及び辞書データ配信方法を提供する。【解決手段】辞書データ配信装置１では、携帯端末１０，１０間で送受信される電子メールに含まれる文章を格納し、当該電子メールに対する返信メールの送信がなされたときに、返信元の電子メールに含まれる単語を抽出し、抽出頻度を積算して生成された辞書データを携帯端末１０に送信している。このような辞書データを文字入力の際の予測変換候補に用いることにより、携帯端末１０においてユーザが様々な文字列を入力するときに、返信率の高い電子メールによく用いられる単語が提示されるので、返信率の高い電子メールの作成がサポートされる。【選択図】図２
2011215916.tif 000002
【特許請求の範囲】
【請求項１】
文字入力の際に用いる辞書データを携帯端末に配信する辞書データ配信装置であって、
前記携帯端末間で送受信される電子メールをメールサーバから受信する電子メール受信手段と、
前記電子メール受信手段が受信した前記電子メールに含まれる文章を格納する電子メール格納手段と、
前記電子メールに対して受信側の携帯端末から送信側の携帯端末に返信メールが送信されたときに、前記返信メールの送信がなされたことを示す旨の返信メール送信情報を前記メールサーバから受信する返信メール送信情報受信手段と、
前記返信メール送信情報受信手段が前記返信メール送信情報を受信したときに、前記電子メール格納手段に格納されている返信元の電子メールに含まれる文章から単語を抽出する単語抽出手段と、
前記単語抽出手段によって抽出された単語の抽出頻度を前記単語ごとに積算してなる辞書データを生成する辞書データ生成手段と、
前記辞書データ生成手段によって生成された前記辞書データを前記携帯端末に送信する辞書データ送信手段と、を備えたことを特徴とする辞書データ配信装置。
【請求項２】
前記電子メール格納手段は、前記電子メールに含まれる文章と関連付けて前記電子メールの送信時刻を格納し、
前記返信メール送信情報受信手段は、前記返信メール送信情報と共に前記返信メールの送信時刻を前記メールサーバから受信し、
前記辞書データ生成手段は、前記電子メールの送信時刻と前記返信メールの送信時刻との間の時間差に基づく係数を前記抽出頻度に乗じて積算することを特徴とする請求項１記載の辞書データ配信装置。
【請求項３】
前記辞書データ送信手段は、前記辞書データを定期的に前記携帯端末に送信することを特徴とする請求項１又は２記載の辞書データ配信装置。
【請求項４】
前記携帯端末から前記辞書データの送信を要求する旨の送信要求情報を受信する要求受信手段を更に有し、
前記辞書データ送信手段は、前記要求受信手段が前記送信要求情報を受信した場合に、前記辞書データを前記携帯端末に送信することを特徴とする請求項１又は２記載の辞書データ配信装置。
【請求項５】
前記携帯端末から前記辞書データの送信を要求する旨の送信要求情報を受信する要求受信手段を更に有し、
前記辞書データ送信手段は、前記辞書データのうち、前記抽出頻度が所定順位以上である単語からなる上位データを定期的に前記携帯端末に送信し、
前記要求受信手段が前記送信要求情報を受信した場合に、前記辞書データのうち、前記抽出頻度が所定順位未満である単語からなる下位データを前記携帯端末に送信することを特徴とする請求項１又は２記載の辞書データ配信装置。
【請求項６】
文字入力の際に用いる辞書データを携帯端末に配信する辞書データ配信方法であって、
電子メール受信手段が、前記携帯端末間で送受信される電子メールをメールサーバから受信する電子メール受信ステップと、
電子メール格納手段が、前記電子メール受信手段が受信した前記電子メールに含まれる文章を格納する電子メール格納ステップと、
返信メール送信情報受信手段が、前記電子メールに対して受信側の携帯端末から送信側の携帯端末に返信メールが送信されたときに、前記返信メールの送信がなされたことを示す旨の返信メール送信情報を前記メールサーバから受信する返信メール送信情報受信ステップと、
単語抽出手段が、前記返信メール送信情報受信手段が前記返信メール送信情報を受信したときに、前記電子メール格納手段に格納されている返信元の電子メールに含まれる文章から単語を抽出する単語抽出ステップと、
辞書データ生成手段が、前記単語抽出手段によって抽出された単語の抽出頻度を前記単語ごとに積算してなる辞書データを生成する辞書データ生成ステップと、
辞書データ送信手段が、前記辞書データ生成手段によって生成された前記辞書データを前記携帯端末に送信する辞書データ送信ステップと、を備えたことを特徴とする辞書データ配信方法。
【請求項７】
前記電子メール格納ステップにおいて、前記電子メールに含まれる文章と関連付けて前記電子メールの送信時刻を格納し、
前記返信メール送信情報受信ステップにおいて、前記返信メール送信情報と共に前記返信メールの送信時刻を前記メールサーバから受信し、
前記辞書データ生成手段において、前記電子メールの送信時刻と前記返信メールの送信時刻との間の時間差に基づく係数を前記抽出頻度に乗じて積算することを特徴とする請求項６記載の辞書データ配信方法。
【請求項８】
前記辞書データ送信ステップにおいて、前記辞書データを定期的に前記携帯端末に送信することを特徴とする請求項６又は７記載の辞書データ配信方法。
【請求項９】
要求受信手段が、前記携帯端末から前記辞書データの送信を要求する旨の送信要求情報を受信する要求受信ステップを更に有し、
前記辞書データ送信ステップにおいて、前記要求受信手段が前記送信要求情報を受信した場合に、前記辞書データを前記携帯端末に送信することを特徴とする請求項６又は７記載の辞書データ配信方法。
【請求項１０】
要求受信手段が、前記携帯端末から前記辞書データの送信を要求する旨の送信要求情報を受信する要求受信ステップを更に有し、
前記辞書データ送信ステップにおいて、前記辞書データのうち、前記抽出頻度が所定順位以上である単語からなる上位データを定期的に前記携帯端末に送信し、前記要求受信手段が前記送信要求情報を受信した場合に、前記辞書データのうち、前記抽出頻度が所定順位未満である単語からなる下位データを前記携帯端末に送信することを特徴とする請求項６又は７記載の辞書データ配信方法。
【発明の詳細な説明】
【技術分野】
【０００１】
本発明は、文字入力の際の予測変換候補に用いる辞書データを携帯端末に配信する辞書データ配信装置及び辞書データ配信方法に関する。
【背景技術】
【０００２】
文字入力の際の予測変換候補に用いる辞書データに関する技術として、例えば特許文献１に記載の文字入力装置がある。この従来の文字入力装置では、予め設定された文字配列が表示された場合に、その文字配列に続く文末文字候補を表示することにより、文字入力の効率化を図っている。また、例えば特許文献１に記載の辞書データ管理装置では、ネットワーク上で管理された辞書データを複数のユーザで共有し、ユーザ間で辞書データの編集及び参照ができるようになっている。
【先行技術文献】
【特許文献】
【０００３】
【特許文献１】特開２００６−３３１０６６号公報
【特許文献２】特開２０００−１６３４２０号公報
【発明の概要】
【発明が解決しようとする課題】
【０００４】
ところで、携帯電話機に代表される携帯端末間でやり取りされる電子メールは、ユーザ間のコミュニケーションツールとして多用されている。電子メールを送信するユーザは、送信相手からの返信を期待していることが多いと考えられる。そのため、予測変換候補に用いる辞書データにおいて、送信相手からの返信を期待しているユーザの意図に合致した単語が提示できれば、コミュニケーションツールとしての電子メールの機能に更なる広がりを持たせることが可能となる。
【０００５】
本発明は、上記課題の解決のためになされたものであり、携帯端末において返信率の高い電子メールの作成をサポートできる辞書データ配信装置及び辞書データ配信方法を提供することを目的とする。
【課題を解決するための手段】
【０００６】
上記課題の解決のため、本発明に係る辞書データ配信装置は、文字入力の際に用いる辞書データを携帯端末に配信する辞書データ配信装置であって、携帯端末間で送受信される電子メールをメールサーバから受信する電子メール受信手段と、電子メール受信手段が受信した電子メールに含まれる文章を格納する電子メール格納手段と、電子メールに対して受信側の携帯端末から送信側の携帯端末に返信メールが送信されたときに、返信メールの送信がなされたことを示す旨の返信メール送信情報をメールサーバから受信する返信メール送信情報受信手段と、返信メール送信情報受信手段が返信メール送信情報を受信したときに、電子メール格納手段に格納されている返信元の電子メールに含まれる文章から単語を抽出する単語抽出手段と、単語抽出手段によって抽出された単語の抽出頻度を単語ごとに積算してなる辞書データを生成する辞書データ生成手段と、辞書データ生成手段によって生成された辞書データを携帯端末に送信する辞書データ送信手段と、を備えたことを特徴としている。
【０００７】
この辞書データ配信装置では、携帯端末間で送受信される電子メールに含まれる文章を格納している。そして、電子メールに対する返信メールの送信がなされたときに、返信元の電子メールに含まれる単語を抽出し、抽出頻度を積算して生成された辞書データを携帯端末に送信している。この辞書データを文字入力の際の予測変換候補に用いることにより、携帯端末においてユーザが様々な文字列を入力するときに、返信率の高い電子メールによく用いられる単語が提示されるので、返信率の高い電子メールの作成がサポートされる。
【０００８】
また、電子メール格納手段は、電子メールに含まれる文章と関連付けて電子メールの送信時刻を格納し、返信メール送信情報受信手段は、返信メール送信情報と共に返信メールの送信時刻をメールサーバから受信し、辞書データ生成手段は、電子メールの送信時刻と返信メールの送信時刻との間の時間差に基づく係数を抽出頻度に乗じて積算することが好ましい。このように、返信メールが送信されるまでの時間を考慮して抽出頻度の重み付けを行うことにより、返信率の高い電子メールの作成が一層精度良くサポートされる。
【０００９】
また、辞書データ送信手段は、辞書データを定期的に携帯端末に送信することが好ましい。この場合、携帯端末側には予め辞書データが送信されているので、携帯端末側で文字入力をする際に辞書データ配信装置と携帯端末との間で情報のやり取りをする必要がなくなり、予測変換候補の表示処理速度を確保できる。
【００１０】
また、携帯端末から辞書データの送信を要求する旨の送信要求情報を受信する要求受信手段を更に有し、辞書データ送信手段は、要求受信手段が送信要求情報を受信した場合に、辞書データを携帯端末に送信することが好ましい。この場合、携帯端末側で文字入力をする際に最新の辞書データが携帯端末に送信されるので、より最適な単語の候補の提示が可能となる。
【００１１】
また、携帯端末から辞書データの送信を要求する旨の送信要求情報を受信する要求受信手段を更に有し、辞書データ送信手段は、辞書データのうち、抽出頻度が所定順位以上である単語からなる上位データを定期的に携帯端末に送信し、要求受信手段が送信要求情報を受信した場合に、辞書データのうち、抽出頻度が所定順位未満である単語からなる下位データを携帯端末に送信することが好ましい。この場合、携帯端末側には予め上位データが送信されているので、予測変換候補の表示処理速度を確保できる。また、送信要求があった場合に限って携帯端末に下位データを送信するので、予測変換候補の表示処理速度を確保しつつ、多様な単語の候補の提示が可能となる。
【００１２】
また、本発明に係る辞書データ配信方法は、文字入力の際に用いる辞書データを携帯端末に配信する辞書データ配信方法であって、電子メール受信手段が、携帯端末間で送受信される電子メールをメールサーバから受信する電子メール受信ステップと、電子メール格納手段が、電子メール受信手段が受信した電子メールに含まれる文章を格納する電子メール格納ステップと、返信メール送信情報受信手段が、電子メールに対して受信側の携帯端末から送信側の携帯端末に返信メールが送信されたときに、返信メールの送信がなされたことを示す旨の返信メール送信情報をメールサーバから受信する返信メール送信情報受信ステップと、単語抽出手段が、返信メール送信情報受信手段が返信メール送信情報を受信したときに、電子メール格納手段に格納されている返信元の電子メールに含まれる文章から単語を抽出する単語抽出ステップと、辞書データ生成手段が、単語抽出手段によって抽出された単語の抽出頻度を単語ごとに積算してなる辞書データを生成する辞書データ生成ステップと、辞書データ送信手段が、辞書データ生成手段によって生成された辞書データを携帯端末に送信する辞書データ送信ステップと、を備えたことを特徴としている。
【００１３】
この辞書データ配信方法では、携帯端末間で送受信される電子メールに含まれる文章を格納している。そして、電子メールに対する返信メールの送信がなされたときに、返信元の電子メールに含まれる単語を抽出し、抽出頻度を積算して生成された辞書データを携帯端末に送信している。この辞書データを文字入力の際の予測変換候補に用いることにより、携帯端末においてユーザが様々な文字列を入力するときに、返信率の高い電子メールによく用いられる単語が提示されるので、返信率の高い電子メールの作成がサポートされる。
【００１４】
また、電子メール格納ステップにおいて、電子メールに含まれる文章と関連付けて電子メールの送信時刻を格納し、返信メール送信情報受信ステップにおいて、返信メール送信情報と共に返信メールの送信時刻をメールサーバから受信し、辞書データ生成手段において、電子メールの送信時刻と返信メールの送信時刻との間の時間差に基づく係数を抽出頻度に乗じて積算することが好ましい。このように、返信メールが送信されるまでの時間を考慮することにより、返信率の高い電子メールの作成が一層精度良くサポートされる。
【００１５】
また、辞書データ送信ステップにおいて、辞書データを定期的に携帯端末に送信することが好ましい。この場合、携帯端末側には予め辞書データが送信されているので、携帯端末側で文字入力をする際に辞書データ配信装置と携帯端末との間で情報のやり取りをする必要がなくなり、予測変換候補の表示処理速度を確保できる。
【００１６】
また、要求受信手段が、携帯端末から辞書データの送信を要求する旨の送信要求情報を受信する要求受信ステップを更に有し、辞書データ送信ステップにおいて、要求受信手段が送信要求情報を受信した場合に、辞書データを携帯端末に送信することが好ましい。この場合、携帯端末側で文字入力をする際に最新の辞書データが携帯端末に送信されるので、より最適な単語の候補の提示が可能となる。
【００１７】
また、要求受信手段が、携帯端末から辞書データの送信を要求する旨の送信要求情報を受信する要求受信ステップを更に有し、辞書データ送信ステップにおいて、辞書データのうち、抽出頻度が所定順位以上である単語からなる上位データを定期的に携帯端末に送信し、要求受信手段が送信要求情報を受信した場合に、辞書データのうち、抽出頻度が所定順位未満である単語からなる下位データを携帯端末に送信することが好ましい。この場合、携帯端末側には予め上位データが送信されているので、予測変換候補の表示処理速度を確保できる。また、送信要求があった場合に限って携帯端末に下位データを送信するので、予測変換候補の表示処理速度を確保しつつ、多様な単語の候補の提示が可能となる。
【発明の効果】
【００１８】
本発明によれば、携帯端末において返信率の高い電子メールの作成をサポートできる。
【図面の簡単な説明】
【００１９】
【図１】本発明の一実施形態に係る辞書データ配信装置の構成を示す図である。
【図２】図１に示した辞書データ配信装置の機能的な構成要素を示す図である。
【図３】電子メール格納部に格納される情報の一例を示す図である。
【図４】返信メール送信情報に付随する情報の一例を示す図である。
【図５】抽出頻度に適用する係数の一例を示す図である。
【図６】辞書データに含まれる情報の一例を示す図である。
【図７】図２に示した辞書データ配信装置の動作を示すシーケンス図である。
【発明を実施するための形態】
【００２０】
以下、図面を参照しながら、本発明に係る辞書データ配信装置及び辞書データ配信方法の好適な実施形態について詳細に説明する。
【００２１】
図１は、本発明の一実施形態に係る辞書データ配信装置の構成を示す図である。辞書データ配信装置１は、文字入力の際の予測変換候補に用いる辞書データを携帯端末１０に配信する装置として構成され、図１に示すように、ネットワークＮを介して複数の携帯端末１０（１０Ａ，１０Ｂ，１０Ｃ…）と接続されている。また、辞書データ配信装置１は、ネットワークＮを介して、携帯端末１０，１０間でやり取りされる電子メールの送受信を管理するメールサーバ１１と接続されている。
【００２２】
辞書データ配信装置１は、物理的には、ＣＰＵ、メモリ、通信インターフェイス、ハードディスクといった格納部、ディスプレイといった表示部などを備えたコンピュータシステムであり、例えば携帯端末１０による通信サービスを提供する通信事業者によって管理されている。この辞書データ配信装置１は、図２に示すように、機能的な構成要素として、電子メール受信部１０１と、電子メール格納部１０２と、返信メール送信情報受信部１０３と、単語抽出部１０４と、辞書データ生成部１０５と、辞書データ送信部１０６と、要求情報受信部１０７とを備えている。
【００２３】
電子メール受信部１０１は、携帯端末１０，１０間で送受信される電子メールをメールサーバ１１から受信する部分である。メールサーバ１１は、携帯端末１０から送信された電子メールを送信先の携帯端末１０に送信する際、当該電子メールの複製を作成して辞書データ配信装置１に送信する。電子メール受信部１０１は、受信した電子メールを電子メール格納部１０２に格納する。電子メール受信部１０１が受信する電子メールは、携帯端末１０，１０間で送受信される全ての電子メールであってもよいし、無作為に抽出された電子メールであってもよい。
【００２４】
電子メール格納部１０２は、電子メール受信部１０１が受信した電子メールに含まれる文章を格納する部分である。図３は、電子メール格納部１０２に格納される情報の一例を示す図である。図３に示す例では、例えば電子メールのヘッダに含まれるメールＩＤと、電子メールの送信時刻と、電子メールの本文とが関連付けられて格納されている。例えばメールＩＤ「０００１」の電子メールは、送信時刻が「２０１０／０２／０２  １４：００」であり、本文には「こんにちは。今日はいい天気ですね。これから渋谷に買い物に行ってきますが一緒にどうですか？」といった文章が含まれている。
【００２５】
また、例えばメールＩＤ「０００２」の電子メールは、送信時刻が「２０１０／０２／０２  １４：１９」であり、本文には「元気？暇？僕ヒマなんだけど…」といった文章が含まれている。また、例えばメールＩＤ「０００３」の電子メールは、送信時刻が「２０１０／０２／０２  １４：３３」であり、本文には「こんにちは。明日のテストの準備ばっちり？」といった文章が含まれている。
【００２６】
返信メール送信情報受信部１０３は、電子メールに対して受信側の携帯端末１０から送信側の携帯端末１０に返信メールが送信されたときに、返信メールの送信がなされたことを示す旨の返信メール送信情報をメールサーバ１１から受信する部分である。返信メール送信情報には、例えば図４に示すように、返信メールのメールＩＤ（返信元の電子メールと同一のＩＤ）と、返信メールの送信時刻とが付随している。
【００２７】
図４の例では、メールＩＤ「０００１」の返信メールの送信時刻は「２０１０／０２／０２  １４：０１」となっており、メールＩＤ「０００２」の返信メールの送信時刻は「２０１０／０２／０５  １４：１８」となっている。また、メールＩＤ「０００３」の返信メールの送信時刻は「２０１０／０２／０３  １４：５０」となっている。
【００２８】
メールサーバ１１は、携帯端末１０から送信された返信メールを送信元の携帯端末１０に送信する際、返信メールの送信時刻及びメールＩＤと共に返信メール送信情報を辞書データ配信装置１に送信する。返信メール送信情報受信部１０３は、受信した返信メール送信情報、メールＩＤ、及び送信時刻を単語抽出部１０４に出力する。
【００２９】
単語抽出部１０４は、返信メール送信情報受信部１０３が返信メール送信情報、メールＩＤ、及び送信時刻を受信したときに、電子メール格納部１０２に格納されている返信元の電子メールに含まれる文章から単語を抽出する部分である。より具体的には、単語抽出部１０４は、返信メール送信情報受信部１０３から返信メール送信情報、メールＩＤ、及び送信時刻を受け取ると、メールＩＤに基づいて、電子メール格納部１０２に格納されている電子メールの中から返信元の電子メールを特定し、その本文に含まれている文章から単語を抽出する。
【００３０】
例えば図３の例では、メールＩＤ「０００１」の電子メールに返信があった場合には、「こんにちは」「今日」「天気」「渋谷」といった単語が抽出され、メールＩＤ「０００２」の電子メールに返信が合った場合には、「元気」「暇」「ヒマ」といった単語が抽出される。また、メールＩＤ「０００３」の電子メールに返信が合った場合には、「こんにちは」「明日」「テスト」「準備」「ばっちり」といった単語が抽出される。単語抽出部１０４は、抽出した単語を辞書データ生成部１０５に出力する。また、単語抽出部１０４は、電子メールの送信時刻と返信メールの送信時刻とを単語と共に辞書データ生成部１０５に出力する。
【００３１】
辞書データ生成部１０５は、単語抽出部１０４によって抽出された単語の抽出頻度を単語ごとに積算してなる辞書データを生成する部分である。辞書データ生成部１０５は、抽出頻度の積算にあたって、まず、電子メールの送信時刻と返信メールの送信時刻との間の時間差に基づく係数を決定する。図５は、抽出頻度に適用する係数の一例を示す図である。
【００３２】
図５に示す例では、電子メールの送信時刻と返信メールの送信時刻との間の時間差に対する係数が対応付けられており、時間差が「２４時間未満」であった場合の係数は「×１０」、時間差が「２４時間以上４８時間未満」であった場合の係数は「×５」となっている。また、時間差が「４８時間以上７２時間未満」であった場合の係数は「×１」、時間差が「７２時間以上」であった場合の係数は「×０」となっている。辞書データ生成部１０５は、単語抽出部１０４によって抽出された単語の抽出頻度に上述した係数を乗じて積算し、単語ごとの抽出頻度を関連付けた辞書データを作成する。
【００３３】
図６は、辞書データの一例を示す図である。図６に示す例では、抽出された単語と、単語の読みと、抽出頻度とが関連付けられている。図３〜図５の場合を例にとると、例えば「こんにちは」という単語は、メールＩＤ「０００１」の電子メールとメールＩＤ「０００３」の電子メールの双方に含まれている。そして、時間差が２４時間未満であるメールＩＤ「０００１」に適用される係数が「×１０」、時間差が「２４時間以上４８時間未満」であるメールＩＤ「０００３」に適用される係数が「×５」であることから、「こんにちは」という単語の抽出頻度は「１５」となっている。
【００３４】
一方、例えば「元気」という単語は、メールＩＤ「０００２」の電子メールのみに含まれている。そして、時間差が「４８時間以上７２時間未満」であるメールＩＤ「０００２」に適用される係数が「×１」であることから、「元気」という単語の抽出頻度は「１」となっている。辞書データ生成部１０５は、単語の抽出がなされる度に上述した手順で抽出頻度を積算し、辞書データの更新を随時行う。
【００３５】
辞書データ送信部１０６は、辞書データ生成部１０５によって生成された辞書データを携帯端末１０に送信する部分である。より具体的には、辞書データ送信部１０６は、辞書データ生成部１０５が生成した辞書データのうち、抽出頻度が所定順位以上である単語からなる上位データを定期的に携帯端末１０に送信する。また、辞書データ送信部１０６は、要求情報受信部１０７から辞書データの送信を指示する旨の指示情報を受け取った場合に限り、抽出頻度が所定順位未満である単語からなる下位データを携帯端末１０に送信する。
【００３６】
要求情報受信部１０７は、携帯端末１０から辞書データの送信を要求する旨の送信要求情報を受信する部分である。要求情報受信部１０７は、送信要求情報を受信すると、辞書データの送信を指示する旨の指示情報を辞書データ送信部１０６に出力する。
【００３７】
一方、辞書データの配信先である携帯端末１０は、物理的には、例えばＣＰＵ（中央処理装置）、メモリ、通信インターフェイス、ハードディスクなどを備えた携帯電話機である。辞書データを受信した携帯端末１０では、例えば電子メール作成画面において文字を入力した場合に、入力された文字に続く予測変換候補が表示される。ユーザが更に下位の単語の候補を検索するための操作を行った場合、辞書データの送信を要求する旨の送信要求情報が携帯端末１０から辞書データ配信装置１に送信される。そして、これに応じて辞書データ配信装置１から携帯端末１０に送信される下位データに基づいて、更に下位の単語の候補が変換候補画面に表示される。
【００３８】
続いて、上述した構成を有する辞書データ配信装置１の動作について説明する。
【００３９】
図７は、辞書データ配信装置１の動作を示すシーケンス図である。図７に示すように、携帯端末１０から電子メールが送信されると（ステップＳ０１）、メールサーバ１１を介して送信先の携帯端末１０に電子メールが送信される（ステップＳ０２）。このとき、メールサーバ１１では、電子メールの複製が行われ、複製された電子メールが辞書データ配信装置１に送信される（ステップＳ０３）。辞書データ配信装置１では、メールサーバ１１から送信された電子メールが格納される（ステップＳ０４）。
【００４０】
電子メールの格納後、送信先の携帯端末１０から返信メールが送信されると（ステップＳ０５）、メールサーバ１１を介して送信元の携帯端末１０に返信メールが送信される（ステップＳ０６）。このとき、メールサーバ１１から辞書データ配信装置１に返信メール送信情報が送信される（ステップＳ０７）。
【００４１】
返信メール送信情報を受信した辞書データ配信装置１では、メールＩＤに基づいて、電子メール格納部１０２に格納されている電子メールの中から返信元の電子メールが特定され、その本文に含まれている文章から単語の抽出がなされる（ステップＳ０８）。次に、電子メールの送信時刻と返信メールの送信時刻との間の時間差に基づいて係数が決定される（ステップＳ０９）。そして、決定された係数を抽出頻度に乗じて積算することにより、抽出頻度を単語ごとに積算してなる辞書データが生成・更新され（ステップＳ１０）、携帯端末１０に送信される（ステップＳ１１）。
【００４２】
ステップＳ１１では、生成された辞書データのうち、抽出頻度が所定順位以上である単語からなる上位データが定期的に携帯端末１０に送信される。また、生成された辞書データのうち、抽出頻度が所定順位未満である下位データについては、携帯端末１０側から送信要求情報を受信した場合に限って携帯端末１０に送信される。
【００４３】
以上説明したように、辞書データ配信装置１では、携帯端末１０，１０間で送受信される電子メールに含まれる文章を格納し、当該電子メールに対する返信メールの送信がなされたときに、返信元の電子メールに含まれる単語を抽出し、抽出頻度を積算して生成された辞書データを携帯端末１０に送信している。このような辞書データを文字入力の際の予測変換候補に用いることにより、携帯端末１０においてユーザが様々な文字列を入力するときに、返信率の高い電子メールによく用いられる単語が提示されるので、返信率の高い電子メールの作成がサポートされる。
【００４４】
また、辞書データ配信装置１では、電子メールに含まれる文章と関連付けて電子メールの送信時刻を格納しており、返信メール送信情報と共に返信メールの送信時刻をメールサーバ１１から受信し、電子メールの送信時刻と返信メールの送信時刻との間の時間差に基づく係数を抽出頻度に乗じて積算している。このように、返信メールが送信されるまでの時間を考慮して抽出頻度の重み付けを行うことにより、返信率の高い電子メールの作成が一層精度良くサポートされる。
【００４５】
また、辞書データ配信装置１では、辞書データのうち、抽出頻度が所定順位以上である単語からなる上位データを定期的に携帯端末１０に送信し、要求情報受信部１０７が送信要求情報を受信した場合に、辞書データのうち、抽出頻度が所定順位未満である単語からなる下位データを携帯端末１０に送信している。このような辞書データの送信手法によれば、携帯端末１０側には予め上位データが送信されているので、予測変換候補の表示処理速度を確保できる。また、送信要求があった場合に限って携帯端末１０に下位データを送信するので、予測変換候補の表示処理速度を確保しつつ、多様な単語の候補の提示が可能となる。
【００４６】
本発明は、上記実施形態に限られるものではない。例えば上述した実施形態では、携帯端末１０に辞書データを送信するにあたって、上位データと下位データとで送信のタイミングが異なっているが、辞書データのデータ量にかかわらず、辞書データ全体を定期的に辞書データ送信部１０６から携帯端末１０に送信するようにしてもよい。この場合、携帯端末１０側には予め辞書データが送信されているので、携帯端末１０側で文字入力をする際に辞書データ配信装置１と携帯端末１０との間で情報のやり取りをする必要がなくなり、予測変換候補の表示処理速度を確保できる。
【００４７】
また、辞書データの定期的な送信は行わず、辞書データの送信を要求する旨の送信要求情報を携帯端末１０から受信したときに辞書データ全体を辞書データ送信部１０６から携帯端末１０に送信するようにしてもよい。この場合、携帯端末１０側で文字入力をする際に最新の辞書データが携帯端末１０に送信されるので、より最適な単語の候補の提示が可能となる。
【符号の説明】
【００４８】
１…辞書データ配信装置、１０…携帯端末、１１…メールサーバ、１０１…電子メール受信部（電子メール受信手段）、１０２…電子メール格納部（電子メール格納手段）、１０３…返信メール送信情報受信部（返信メール送信情報受信手段）、１０４…単語抽出部（単語抽出手段）、１０５…辞書データ生成部（辞書データ生成手段）、１０６…辞書データ送信部（辞書データ送信手段）、１０７…要求情報受信部（要求情報受信手段）。
【図１】
2011215916.tif 000003
【図２】
2011215916.tif 000004
【図３】
2011215916.tif 000005
【図４】
2011215916.tif 000006
【図５】
2011215916.tif 000007
【図６】
2011215916.tif 000008
【図７】
2011215916.tif 000009